(57)【要約】【課題】  密閉性を向上させ花粉や埃を防ぐと共に、普段から使用中の度の入った通常の眼鏡に容易にワンタッチで着脱が出来て、更に、使用中も目の周辺に強い圧迫感を与えることも無く違和感の無い眼鏡用防塵カバーを提供することを課題とする。【解決手段】  この考案による眼鏡用防塵カバーは、防塵カバーとして予め一定の形状に成形した薄い透明軟質塩化ビニールシートなどの軟質シートにて構成される。この軟質シートを、装着しようとする眼鏡の左右の夫々のレンズ枠の周囲に、あるいは、枠無しの場合には直接にレンズの周囲に、巻き付けて固定し、この巻きつけた軟質シートの他端である接顔部は、装着する人の顔の形状及び眼鏡そのものの形状に合わせて、顔に強く接する部分を切り取ることにより密閉性を向上させると共に、目の周辺に直接に強く当たることによる異常な圧迫感を無くし、使用中も違和感の無いように微調整することが出来る。【選択図】  図６
0003111849.tif 000002
【実用新案登録請求の範囲】
【請求項１】
装着しようとする眼鏡の左右の夫々のレンズ枠の周囲に、あるいは、枠無しの場合には直接にレンズの周囲に、防塵カバーとして予め一定の形状に成形した薄い透明軟質塩化ビニールシートなどによる軟質シートを巻きつけて固定し、この巻きつけた軟質シートの他端である接顔部は、装着する人の顔の形状及び眼鏡そのものの形状に合わせて、顔に強く接する部分を切り取ることにより密閉性を向上させると共に、目の周辺に直接に強く当たることによる異常な圧迫感を無くし、使用中も違和感の無いように微調整することが出来る眼鏡用防塵カバー。
【考案の詳細な説明】
【技術分野】
【０００１】  この考案は、遠視や近視の度の入った使用中の通常の眼鏡に、ワンタッチで容易に着脱が出来る花粉や埃を防ぐ眼鏡用防塵カバーに関する。
【背景技術】
【０００２】  花粉症の人にとって、花粉の季節は脅威である。花粉や埃から目を守る方法として、普段は眼鏡を必要としない人には、例えば、水中メガネ状の度の入っていないゴーグルや防塵メガネなどの方法がある。一方、普段から遠視や近視の度の入った眼鏡を必要とする人には、例えば、使用中の度入り眼鏡の全体を包み込むような大きなゴーグルや、使用中の度入り眼鏡とは別に、花粉や埃を防ぐカバー付きの眼鏡フレームを購入し、このフレームに度入りレンズを嵌めて防塵対策専用眼鏡として、使用中の度入り眼鏡とを適時使い分けるという方法などがある。
【考案が解決しようとする課題】
【０００３】  しかし、普段から度の入った眼鏡を掛ける人にとって、花粉や埃から目を守る対策として、例えば、使用中の眼鏡の全体を包み込むような大きなゴーグルは重装備であるばかりでなく目の周辺が圧迫されるので長時間の使用には違和感を感じることとなる。また、前記の防塵対策専用眼鏡と使い分けるということは、面倒で煩わしい、などという難点がある。
【０００４】  そこで、薄い透明軟質塩化ビニールシートなどの軟質シートにて構成されるこの眼鏡用防塵カバーは、密閉性を向上させ花粉や埃を防ぐと共に、普段から使用中の度の入った眼鏡に容易にワンタッチで着脱が出来て、更に、使用中も目の周辺に強い圧迫感を与えることも無く違和感の無い眼鏡防塵カバーを提供することを課題とする。
【考案が解決するための手段】
【０００５】  この考案による眼鏡用防塵カバーは、防塵カバーとして予め一定の形状に成形した薄い透明軟質塩化ビニールシートなどの軟質シートにて構成される。この軟質シートを、装着しようとする眼鏡の左右の夫々のレンズ枠の周囲に、あるいは、枠無しの場合には直接にレンズの周囲に、巻き付けて固定し、この巻きつけた軟質シートの他端である接顔部は、装着する人の顔の形状及び眼鏡そのものの形状に合わせて、顔に強く接する部分を切り取ることにより密閉性を向上させると共に、目の周辺に直接に強く当たることによる異常な圧迫感を無くし、使用中も違和感の無いように微調整することが出来る。
【考案の効果】
【０００６】  よって、遠視や近視の度の入った使用中の通常の眼鏡に、花粉や埃を防ぐために、この考案による眼鏡用防塵カバーの主要部である軟質シートを、装着しようとする眼鏡の左右の夫々のレンズ枠の周囲に、あるいは、枠無しの場合には直接にレンズの周囲に、巻きつけて容易にワンタッチで固定することが出来る。
【０００７】  また、この巻きつけた軟質シートの他端である接顔部を、装着する人の顔の形状及び眼鏡そのものの形状に合わせて、顔に強く接する部分を切り取ることにより密閉性を向上させ花粉や埃を防ぐと共に、目の周辺に直接に強く当たることによる異常な圧迫感を無くし、使用中も違和感の無いように微調整することが出来るので、長時間にわたって、使用することが出来る。
【０００８】  更に、この考案による眼鏡用防塵カバーは、複雑な機構も無く、軽量で簡便、保管や携帯に便利、費用も比較的安価、などの利点がある。
【考案を実施するための最良の形態】
【０００９】  図１は、一般的な度の入った通常の眼鏡１の一例であり、この眼鏡１にこの考案による眼鏡用防塵カバーを装着する場合を以後に記述する。【００１０】  図２は、この考案によるワンタッチで着脱容易な眼鏡用防塵カバー６の一部である左眼用軟質シート７の全体図を示す。眼鏡用防塵カバー６は、左眼用軟質シート７と右眼用軟質シート（図示されていない）との一対にて構成されるが、右眼用軟質シートは左眼用軟質シート７と同形で左右対称であるゆえ、以後は、左眼用軟質シート７についてのみ記述する。【００１１】  軟質シート７は、図２に示すように、その形状は山形で、厚さは約１ｍｍの薄板であり、山形の中央最下部は、眼鏡１のアーム２の付け根に当たる部分となり、凹となっている。また、山形の下辺には、約３ｍｍのリム８が付けられている。【００１２】  図３は、軟質シート７を眼鏡１に装着しようとするときの図である。先ず、軟質シート７の山形中央部の最下部の凹部（図中ｂ）を眼鏡１のアーム２の付け根に嵌め、軟質シート７の図中ｂ−ａの部分をレンズ５の下辺に沿って取付け、仮に固定する。次ぎに、レンズ５の上辺に沿って、軟質シート７のｂ−ｃの部分を取付ける。この時、ブリッジ３に当たる部分のリム８（図中ｃ点）を切り取る。その後、更に、ブリッジ３の下側からレンズ５の下辺に沿って、軟質シート７のｃ−ｄの部分を取付ける。この時、軟質シート７のｄ点が既に仮に固定したａ点に重なるようであれば、ｄ点の重なるリム８を部分的に切り取る。この時点で、軟質シート７は、レンズ５の周囲に巻け付けられたことになり、しっかりと固定するために、更に、軟質シート７のｄ−ｅの部分をａ−ｂの上に重ねて最終的に固定する。この固定方法は、公知の方法（マジックテープ、セロテープ、など）にて固定する。【００１３】  図４は、軟質シート７が、レンズ５の周囲に巻き付けられた状態を正面から見たときの左眼側のみの図であり、図５は、左右のレンズ５に軟質シート７が巻き付けられた状態の斜視図である。図中のＡ−Ａ’断面図に示すように、軟質シート７は、レンズ５の周囲に沿って巻き付けられ、また、リム８は、図示されていないが要所が補強されているので、常に軟質シート７に対して直角となり、その結果、レンズ５はリム８によって抑え込められている状態となるので、使用中に軟質シート７がレンズ５から外れることはない。【００１４】  図６は、軟質シート７が、レンズ５の周囲に巻き付けられ固定された状態を正面から見たときの全体図である。この後、眼鏡１の使用者がこれを装着して、装着する人の顔の形状及び眼鏡そのものの形状に合わせて、顔に強く接する部分を切り取ることにより密閉性を向上させ花粉や埃を防ぐと共に、目の周辺に直接に強く当たることによる異常な圧迫感を無くし、使用中も違和感の無いように微調整することが出来るので、長時間にわたって、使用することが出来る。
【図面の簡単な説明】
【００１５】
【図１】通常の遠視や近視の度の入った眼鏡の斜視図である。
【図２】この考案による眼鏡用防塵カバーの左眼側の平面図である。
【図３】この考案による眼鏡用防塵カバーの左眼側を眼鏡１の左側に装着しようとするときの斜視図である。
【図４】この考案による眼鏡用防塵カバーの左眼側を眼鏡１の左側に装着したときの正面図である。
【図５】この考案による眼鏡用防塵カバーを通常の眼鏡１に取付けた状態の斜視図である。
【図６】この考案による眼鏡用防塵カバーを通常の眼鏡１に取付けた状態の正面図である。
【符号の説明】
【００１６】１  通常の遠視や近視の度の入った眼鏡の一例
２  眼鏡１のアーム
３  眼鏡１のブリッジ
４  眼鏡１の枠、または眼鏡１のレンズの縁
５  眼鏡１のレンズ
６  眼鏡用防塵カバー
７  眼鏡用防塵カバーを構成する左眼用軟質シート
（右眼用軟質シートは、左眼用軟質シートと同形で左右対称となる。）
８  リム
【図１】
0003111849.tif 000003
【図２】
0003111849.tif 000004
【図３】
0003111849.tif 000005
【図４】
0003111849.tif 000006
【図５】
0003111849.tif 000007
【図６】
0003111849.tif 000008